(57)【要約】【課題】使用者がフィルタの洗浄時期であることを的確に認識でき、かつ深夜の就寝中などの時間帯に報知することなくわずらわしさを解消したレンジフードを提供することを目的とする。【解決手段】本体１内にフィルタ６を自動で洗浄するフィルタ洗浄装置７と、フィルタ６の洗浄時期であることを音声で報知する音声報知手段８と、音声メッセージがあることを報知するメッセージ表示手段９と、音声メッセージを再生する音声スイッチ１０とを備え、フィルタ６の洗浄時期に達すると前記メッセージ表示手段９は音声メッセージがあることを表示し、音声スイッチ１０が操作されると音声報知手段８はフィルタ６の洗浄時期であることを音声で報知するレンジフードを構成する。【選択図】図２
2010223528.tif 000002
【特許請求の範囲】
【請求項１】
室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、音声メッセージがあることを報知するメッセージ表示手段と、音声メッセージを再生する音声スイッチとを備え、前記フィルタの洗浄時期に達すると前記メッセージ表示手段は音声メッセージがあることを表示し、前記音声スイッチが操作されると前記音声報知手段は前記フィルタの洗浄時期であることを音声で報知するレンジフード。
【請求項２】
メッセージ表示手段は、フィルタの洗浄時期に達するまでは、表示はしない請求項１記載のレンジフード。
【請求項３】
人の存在を検出する人検出手段を設け、メッセージ表示手段は、前記人検出手段が人を検出したときに表示をする請求項１記載のレンジフード。
【請求項４】
メッセージ表示手段は、人検出手段が人を検出し、かつ音声メッセージがあるときに表示する請求項３記載のレンジフード。
【請求項５】
室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段とを備え、運転操作をしたときに前記音声報知手段は前記フィルタの洗浄時期であることを音声で報知するレンジフード。
【請求項６】
運転操作は、排気ファンによる換気運転の開始、停止および排気ファンの風量変更の操作であることを特徴とする請求項５記載のレンジフード。
【請求項７】
換気運転は、モータを低速と高速で駆動して、排気ファンの風量を低風量で換気する常時換気運転とより風量の多い局所換気運転とを備え、前記常時換気運転から局所換気運転または前記局所換気運転から常時換気運転の少なくともいずれかへ風量変更の操作を行ったときに音声報知手段はフィルタの洗浄時期を報知する請求項５または６記載のレンジフード。
【請求項８】
所定時間後に換気運転を自動で停止する運転タイマを備え、換気運転を自動で停止する運転操作をしたときには、フィルタの洗浄時期に達した状態であれば音声報知手段はフィルタの洗浄時期であることを報知する請求項５記載のレンジフード。
【請求項９】
換気運転を自動で停止する設定をし、前記換気運転が自動停止したときには、音声報知手段は前記フィルタの洗浄時期であることは報知しないことを特徴とする請求項８記載のレンジフード。
【請求項１０】
所定時間後に換気運転を自動で切り替える運転タイマを備え、換気運転の状態を所定時間後に変更する運転操作をしたときには、フィルタの洗浄時期に達した状態であれば、音声報知手段は前記フィルタの洗浄時期であることを音声で報知することを特徴とした請求項５に記載のレンジフード。
【請求項１１】
換気運転を自動で切り替える運転操作をし、換気運転の状態が所定時間後に自動で切り替えられたときには、フィルタの洗浄時期に達していても音声報知手段は前記フィルタの洗浄時期であることを報知しないことを特徴とした請求項１０記載のレンジフード。
【請求項１２】
調理機器の運転または停止の操作と連動して換気運転の状態を変更する連動運転手段を設け、フィルタの洗浄時期に達した状態で前記連動運転手段により前記換気運転の状態を変更する運転操作がされた場合に、音声報知手段が前記フィルタの洗浄時期であることを報知するときには、所定時間遅延させて報知することを特徴とした請求項５記載のレンジフード。
【請求項１３】
室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、人の存在を検出する人検出手段とを備え、前記フィルタの洗浄時期に達した状態で、かつ前記人検出手段が人を検出したときに前記音声報知手段は前記フィルタの洗浄時期であることを音声で報知するレンジフード。
【請求項１４】
室内の照度を検出する照度検出手段を設け、この照度検出手段が人の活動に十分な照度を検出し、かつ前記人検出手段が人を検出したときにフィルタの洗浄時期に達した状態であれば前記音声報知手段は前記フィルタの洗浄時期であることを音声で報知することを特徴とする請求項１３記載のレンジフード。
【請求項１５】
音声報知手段はフィルタの洗浄時期であることを報知した後、所定時間は前記報知はしないことを特徴とした請求項５、１３にいずれか記載のレンジフード。
【請求項１６】
モータを駆動し、排気ファンにより排気する換気運転中に前記フィルタの洗浄時期に達したときには、前記換気運転の風量を低くしたのち前記音声報知手段は前記フィルタの洗浄時期であることを音声で報知することを特徴とする請求項５、１３にいずれか記載のレンジフード。
【請求項１７】
室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間に円形のフィルタと、水平方向を回転軸として前記フィルタを回転駆動するフィルタモータと、前記フィルタの一部を収納した水槽と、前記水槽に給水し貯水する給水手段と、前記水槽の貯水を排水する排水手段と、前記水槽内において前記フィルタに水を噴射する噴射手段とを備えた本体と、この本体内に前記フィルタの洗浄時期であることの報知、または前記フィルタの洗浄中は洗浄状況を音声でガイダンスする音声報知手段とを設けたことを特徴とするレンジフード。
【発明の詳細な説明】
【技術分野】
【０００１】
本発明は、家庭の厨房に使用されるレンジフードにおけるフィルタの洗浄時期であることを音声で報知するレンジフードに関する。
【背景技術】
【０００２】
住宅の高気密化に伴って厨房における調理の際に発生する熱気や油煙を浄化して屋外に排出するレンジフードと呼ばれる換気装置が普及している。
【０００３】
このレンジフードには、排出する空気を浄化するための多孔質の素材、例えば金属メッシュのフィルタが装備されているが、レンジフードの使用経過に伴ってフィルタに油や塵埃が付着して換気性能が低下し、また、排気ファンの騒音が増大する。
【０００４】
このため、使用者において定期的にフィルタを洗浄することが必要であり、フィルタの洗浄時期になるとフィルタの洗浄時期であることを報知しフィルタの洗浄を促していた（例えば、特許文献１参照）。
【特許文献１】特開２００２−７１１７６号公報
【発明の開示】
【発明が解決しようとする課題】
【０００５】
このような従来のレンジフードでは、フィルタの洗浄時期になるとフィルタの洗浄時期であることを報知するのでフィルタの洗浄時期になったときに使用者がいない場合、フィルタの洗浄時期であることに気づかないという課題があった。また、深夜の就寝中にフィルタの洗浄時期になりフィルタの洗浄時期であることを報知するとわずらわしいという課題があった。
【０００６】
本発明は、このような従来の課題を解決するもので、使用者がフィルタの洗浄時期であることを的確に認識でき、かつ深夜の就寝中などの時間帯に報知することなくわずらわしさを解消したレンジフードを提供することを目的とする。
【課題を解決するための手段】
【０００７】
前記課題を解決するために、本発明のレンジフードは、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、音声メッセージがあることを報知するメッセージ表示手段と、音声メッセージを再生する音声スイッチとを備え、前記フィルタの洗浄時期に達すると前記メッセージ表示手段は音声メッセージがあることを表示し、前記音声スイッチが操作されると前記音声報知手段は前記フィルタの洗浄時期であることを音声で報知するものである。
【０００８】
この手段により、使用者にフィルタの洗浄時期であることの確実に報知をすることができ、かつ深夜の就寝中などの時間帯に報知することなくわずらわしさを解消できるという効果のあるレンジフードが得られる。
【０００９】
また、他の手段は、メッセージ表示手段は、フィルタの洗浄時期に達するまでは、表示はしないことを特徴としたものである。
【００１０】
この手段により、フィルタの洗浄時期に達したときに適切に音声メッセージが有ることを表示することとなり、必要なときのみ表示を行い、省エネルギーが図れるという効果のあるレンジフードが得られる。
【００１１】
また、他の手段は、人の存在を検出する人検出手段を設け、メッセージ表示手段は、前記人検出手段が人を検出したときに表示をするものである。
【００１２】
この手段により、使用者がいるときにのみメッセージ表示手段により表示を行い、人がいないときには表示すること無く、省エネルギーが図れるという効果のあるレンジフードが得られる。
【００１３】
また、他の手段は、メッセージ表示手段は、人検出手段が人を検出し、かつ音声メッセージがあるときに表示するものである。
【００１４】
この手段により、音声メッセージがありかつ人がいるとき、すなわち必要なときのみ表示することができ省エネルギーが図れ、かつわずらわしさを解消できるという効果のあるレンジフードが得られる。
【００１５】
また、他の手段は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段とを備え、運転操作をしたときに前記音声報知手段は前記フィルタの洗浄時期であることを音声で報知するものである。
【００１６】
この手段により、運転操作をしたときに音声報知手段がフィルタの洗浄時期であることを報知することで確実に使用者がフィルタの洗浄時期であることを知ることができ、かつ深夜の就寝中などの時間帯に報知することなくわずらわしさを解消できるという効果のあるレンジフードが得られる。
【００１７】
また、他の手段は、運転操作は、排気ファンによる換気運転の開始、停止および排気ファンの風量変更の操作であることを特徴とするものである。
【００１８】
この手段により、換気運転の開始や停止または風量変更の操作がされたときに音声報知手段がフィルタの洗浄時期であることを報知することで確実に使用者がフィルタの洗浄時期であることを知ることができ、かつ深夜の就寝中などの時間帯に報知することなくわずらわしさを解消できるという効果のあるレンジフードが得られる。
【００１９】
また、他の手段は、換気運転は、モータを低速と高速で駆動して、排気ファンの風量を低風量で換気する常時換気運転とより風量の多い局所換気運転とを備え、前記常時換気運転から局所換気運転または前記局所換気運転から常時換気運転の少なくともいずれかへ風量変更の操作を行ったときに音声報知手段はフィルタの洗浄時期を報知するものである。
【００２０】
この手段により、常時換気運転から局所換気運転または局所換気運転から常時換気運転の少なくともいずれかへ風量変更の操作を行ったときに音声報知手段はフィルタの洗浄時期を報知することで確実に使用者がフィルタの洗浄時期であることを知ることができるという効果のあるレンジフードが得られる。
【００２１】
また、他の手段は、所定時間後に換気運転を自動で停止する運転タイマを備え、換気運転を自動で停止する運転操作をしたときには、フィルタの洗浄時期に達した状態であれば音声報知手段はフィルタの洗浄時期であることを報知するものである。
【００２２】
この手段により、換気運転を自動で停止する運転操作をしたときにフィルタの洗浄時期であることの報知をすることで、使用者は的確にフィルタの洗浄時期であることを認識することができるという効果のあるレンジフードが得られる。
【００２３】
また、他の手段は、換気運転を自動で停止する設定をし、前記換気運転が自動停止したときには、音声報知手段は前記フィルタの洗浄時期であることは報知しないことを特徴としたものである。
【００２４】
この手段により、使用者がいないことが多い場合の無駄な報知を防ぐことができるという効果のあるレンジフードが得られる。
【００２５】
また、他の手段は、所定時間後に換気運転を自動で切り替える運転タイマを備え、換気運転の状態を所定時間後に変更する運転操作をしたときには、フィルタの洗浄時期に達した状態であれば、音声報知手段は前記フィルタの洗浄時期であることを音声で報知するものである。
【００２６】
この手段により、換気運転の状態を所定時間後に変更する運転操作をしたときにフィルタの洗浄時期であることの報知をすることで、使用者は的確にフィルタの洗浄時期であることを認識することができるという効果のあるレンジフードが得られる。
【００２７】
また、他の手段は、換気運転を自動で切り替える運転操作をし、換気運転の状態が所定時間後に自動で切り替えられたときには、フィルタの洗浄時期に達していても音声報知手段は前記フィルタの洗浄時期であることを報知しないことを特徴としたものである。
【００２８】
この手段により、使用者がいないことが多い場合の無駄な報知を防ぐことができるという効果のあるレンジフードが得られる。
【００２９】
また、他の手段は、調理機器の運転または停止の操作と連動して換気運転の状態を変更する連動運転手段を設け、フィルタの洗浄時期に達した状態で前記連動運転手段により前記換気運転の状態を変更する運転操作がされた場合に、音声報知手段が前記フィルタの洗浄時期であることを報知するときには、所定時間遅延させて報知するものである。
【００３０】
この手段により、調理機器が発する音声などの報知と重なり、音声報知が聞き取り難くなることが想定されるので、所定時間後にフィルタの洗浄時期であることを報知することで確実に使用者に報知することができるという効果のあるレンジフードが得られる。
【００３１】
また、他の手段は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、人の存在を検出する人検出手段とを備え、前記フィルタの洗浄時期に達した状態で、かつ前記人検出手段が人を検出したときに前記音声報知手段は前記フィルタの洗浄時期であることを音声で報知するものである。
【００３２】
この手段により、確実に使用者がいる場合にフィルタの洗浄時期であることの報知をすることができ、使用者は的確にかつ容易にフィルタの洗浄時期であることを認識することができるという効果のあるレンジフードが得られる。
【００３３】
また、他の手段は、室内の照度を検出する照度検出手段を設け、この照度検出手段が人の活動に十分な照度を検出し、かつ前記人検出手段が人を検出したときにフィルタの洗浄時期に達した状態であれば前記音声報知手段は前記フィルタの洗浄時期であることを音声で報知するものである。
【００３４】
この手段により、音声報知手段は、照度検出手段が人の活動に十分な照度を検出し、かつ前記人検出手段が人を検出したときにフィルタの洗浄時期に達した状態であれば、フィルタの洗浄時期であることを音声で報知することで、人の活動が不十分な照度の状態で音声報知して使用者を驚かせることを防ぐと共に、このような状態での無駄な音声報知を防ぐことができるという効果のあるレンジフードが得られる。
【００３５】
また、他の手段は、音声報知手段はフィルタの洗浄時期であることを報知した後、所定時間は前記報知はしないことを特徴としたものである。
【００３６】
この手段により、音声報知を頻繁にすることなく的確にフィルタの洗浄時期であることを報知して使用者に認識させることができると共に、すぐにフィルタを洗浄できない場合に繰り返し音声報知をされてわずらわしく感じることを防ぐことができるという効果のあるレンジフードが得られる。
【００３７】
また、他の手段は、モータを駆動し、排気ファンにより排気する換気運転中に前記フィルタの洗浄時期に達したときには、前記換気運転の風量を低くしたのち前記音声報知手段は前記フィルタの洗浄時期であることを音声で報知することを特徴とするものである。
【００３８】
この手段により、換気運転中にフィルタの洗浄時期に達したときには、換気運転の風量を低くしたのち音声報知手段はフィルタの洗浄時期であることを音声で報知するのでフィルタの洗浄時期に達したことを聞き取りやすくして使用者に報知することができるという効果のあるレンジフードが得られる。
【００３９】
また、他の手段は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間に円形のフィルタと、水平方向を回転軸として前記フィルタを回転駆動するフィルタモータと、前記フィルタの一部を収納した水槽と、前記水槽に給水し貯水する給水手段と、前記水槽の貯水を排水する排水手段と、前記水槽内において前記フィルタに水を噴射する噴射手段とを備えた本体と、この本体内に前記フィルタの洗浄時期であることの報知、または前記フィルタの洗浄中は洗浄状況を音声でガイダンスする音声報知手段とを設けたことを特徴とするものである。
【００４０】
この手段により、音声報知手段は、フィルタの洗浄時期であることの報知、または前記フィルタの洗浄中は洗浄状況を音声でガイダンスする各音声メッセージを報知することで、具体的にかつ確実に使用者に伝えることができる。
【発明の効果】
【００４１】
本発明のレンジフードによれば、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、音声メッセージがあることを報知するメッセージ表示手段と、音声メッセージを再生する音声スイッチとを備え、前記フィルタの洗浄時期に達すると前記メッセージ表示手段は音声メッセージがあることを表示し、前記音声スイッチが操作されると前記音声報知手段は前記フィルタの洗浄時期であることを音声で報知するので、フィルタの洗浄時期に達するとメッセージ表示手段は音声メッセージがあることを表示し、それを見た使用者が音声スイッチを操作することで、音声報知手段が報知する音声でフィルタの洗浄時期であることを知ることとなることで、使用者にフィルタの洗浄時期であることの確実に報知をすることができ、かつ深夜の就寝中などの時間帯に報知することなくわずらわしさを解消できるという効果のあるレンジフードを提供することができる。
【発明を実施するための最良の形態】
【００４２】
請求項１記載の発明は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、音声メッセージがあることを報知するメッセージ表示手段と、音声メッセージを再生する音声スイッチとを備え、前記フィルタの洗浄時期に達すると前記メッセージ表示手段は音声メッセージがあることを表示し、前記音声スイッチが操作されると前記音声報知手段は前記フィルタの洗浄時期であることを音声で報知するレンジフードであって、フィルタの洗浄時期に達するとメッセージ表示手段は音声メッセージがあることを表示し、それを見た使用者が音声スイッチを操作することで、音声報知手段が報知する音声でフィルタの洗浄時期であることを知ることとなる作用を有する。
【００４３】
また、請求項２記載の発明は、請求項１記載のレンジフードにおいて、メッセージ表示手段は、フィルタの洗浄時期に達するまでは、表示はしないことを特徴とするものであって、メッセージ表示手段は、フィルタの洗浄時期に達するまでは、表示はしない、すなわちフィルタの洗浄時期に達したときにのみ音声メッセージがあることを表示する作用を有する。
【００４４】
また、請求項３記載の発明は、請求項１記載のレンジフードにおいて、人の存在を検出する人検出手段を設け、メッセージ表示手段は、前記人検出手段が人を検出したときに表示をするものであって、メッセージ表示手段は、人検出手段が人を検出したときに表示を行う作用を有する。
【００４５】
また、請求項４記載の発明は、請求項３記載のレンジフードにおいて、メッセージ表示手段は、人検出手段が人を検出し、かつ音声メッセージがあるときに表示するものであって、メッセージ表示手段は、人検出手段が人を検出し、かつ音声メッセージがあるときに表示をする作用を有する。
【００４６】
また、請求項５記載の発明は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段とを備え、運転操作をしたときに前記音声報知手段は前記フィルタの洗浄時期であることを音声で報知するレンジフードであって、運転操作をしたときに前記音声報知手段は前記フィルタの洗浄時期であることを音声で報知する作用を有する。
【００４７】
また、請求項６記載の発明は、請求項５記載のレンジフードにおいて、運転操作は、排気ファンによる換気運転の開始、停止および排気ファンの風量変更の操作であることを特徴とするものであって、排気ファンによる換気運転の開始、停止および排気ファンの風量変更の運転操作をしたときに音声報知手段は前記フィルタの洗浄時期であることを音声で報知する作用を有する。
【００４８】
また、請求項７記載の発明は、請求項５または６記載のレンジフードにおいて、換気運転は、モータを低速と高速で駆動して、排気ファンの風量を低風量で換気する常時換気運転とより風量の多い局所換気運転とを備え、前記常時換気運転から局所換気運転または前記局所換気運転から常時換気運転の少なくともいずれかへ風量変更の操作を行ったときに音声報知手段はフィルタの洗浄時期を報知するものであって、常時換気運転から局所換気運転または局所換気運転から常時換気運転の少なくともいずれかへ風量変更の操作を行ったときに音声報知手段はフィルタの洗浄時期を報知する作用を有する。
【００４９】
また、請求項８記載の発明は、請求項５記載のレンジフードにおいて、所定時間後に換気運転を自動で停止する運転タイマを備え、換気運転を自動で停止する運転操作をしたときには、フィルタの洗浄時期に達した状態であれば音声報知手段はフィルタの洗浄時期であることを報知するものであって、換気運転を自動で停止する運転操作をしたときには、フィルタの洗浄時期に達した状態であれば音声報知手段はフィルタの洗浄時期であることを報知する作用を有する。
【００５０】
また、請求項９記載の発明は、請求項８記載のレンジフードにおいて、換気運転を自動で停止する設定をし、前記換気運転が自動停止したときには、音声報知手段は前記フィルタの洗浄時期であることは報知しないことを特徴とするものであって、音声報知手段は、換気運転が自動停止したときには、前記フィルタの洗浄時期であることは報知しない作用を有する。
【００５１】
また、請求項１０記載の発明は、請求項５に記載のレンジフードにおいて、所定時間後に換気運転を自動で切り替える運転タイマを備え、換気運転の状態を所定時間後に変更する運転操作をしたときには、フィルタの洗浄時期に達した状態であれば、音声報知手段は前記フィルタの洗浄時期であることを音声で報知することを特徴としたものであって、換気運転の状態を所定時間後に変更する運転操作をしたときには、フィルタの洗浄時期に達した状態であれば、音声報知手段はフィルタの洗浄時期であることを音声で報知する作用を有する。
【００５２】
また、請求項１１記載の発明は、請求項１０記載のレンジフードにおいて、換気運転を自動で切り替える運転操作をし、換気運転の状態が所定時間後に自動で切り替えられたときには、フィルタの洗浄時期に達していても音声報知手段は前記フィルタの洗浄時期であることを報知しないことを特徴としたものであって、換気運転の状態が所定時間後に自動で切り替えられたときには、フィルタの洗浄時期に達していても音声報知手段は前記フィルタの洗浄時期であることを報知しない作用を有する。
【００５３】
また、請求項１２記載の発明は、請求項５記載のレンジフードにおいて、調理機器の運転または停止の操作と連動して換気運転の状態を変更する連動運転手段を設け、フィルタの洗浄時期に達した状態で前記連動運転手段により前記換気運転の状態を変更する運転操作がされた場合に、音声報知手段が前記フィルタの洗浄時期であることを報知するときには、所定時間遅延させて報知することを特徴としたものであって、フィルタの洗浄時期に達した状態で連動運転手段により換気運転の状態を変更する運転操作がされた場合に、音声報知手段が前記フィルタの洗浄時期であることを報知するときには、所定時間遅延させて報知する作用を有する。
【００５４】
また、請求項１３記載の発明は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間にフィルタとを設けた本体と、この本体内に前記フィルタを自動で洗浄するフィルタ洗浄装置と、前記フィルタの洗浄時期であることを音声で報知する音声報知手段と、人の存在を検出する人検出手段とを備え、前記フィルタの洗浄時期に達した状態で、かつ前記人検出手段が人を検出したときに前記音声報知手段は前記フィルタの洗浄時期であることを音声で報知するレンジフードであって、音声報知手段は、フィルタの洗浄時期に達した状態で、かつ人検出手段が人を検出したときに、フィルタの洗浄時期であることを音声で報知する作用を有する。
【００５５】
また、請求項１４記載の発明は、請求項１３記載のレンジフードにおいて、室内の照度を検出する照度検出手段を設け、この照度検出手段が人の活動に十分な照度を検出し、かつ前記人検出手段が人を検出したときにフィルタの洗浄時期に達した状態であれば前記音声報知手段は前記フィルタの洗浄時期であることを音声で報知することを特徴とするものであって、音声報知手段は、照度検出手段が人の活動に十分な照度を検出し、かつ前記人検出手段が人を検出したときにフィルタの洗浄時期に達した状態であれば、フィルタの洗浄時期であることを音声で報知する作用を有する。
【００５６】
また、請求項１５記載の発明は、請求項５、１３にいずれか記載のレンジフードにおいて、音声報知手段はフィルタの洗浄時期であることを報知した後、所定時間は前記報知はしないことを特徴としたものであって、音声報知手段はフィルタの洗浄時期であることを報知した後、所定時間はフィルタの洗浄時期であることを報知しない作用を有する。
【００５７】
また、請求項１６記載の発明は、請求項５、１３にいずれか記載のレンジフードにおいて、モータを駆動し、排気ファンにより排気する換気運転中に前記フィルタの洗浄時期に達したときには、前記換気運転の風量を低くしたのち前記音声報知手段は前記フィルタの洗浄時期であることを音声で報知することを特徴とするものであって、換気運転中にフィルタの洗浄時期に達したときには、換気運転の風量を低くしたのち音声報知手段はフィルタの洗浄時期であることを音声で報知する作用を有する。
【００５８】
また、請求項１７記載の発明は、室内の空気を吸込む吸込口と、屋外に連通した吐出口と、前記吸込口と前記吐出口を結ぶ通風路内に備えて空気を吸込み排気する排気ファンと、前記排気ファンを駆動するモータと、前記吸込口と前記排気ファンとの間に円形のフィルタと、水平方向を回転軸として前記フィルタを回転駆動するフィルタモータと、前記フィルタの一部を収納した水槽と、前記水槽に給水し貯水する給水手段と、前記水槽の貯水を排水する排水手段と、前記水槽内において前記フィルタに水を噴射する噴射手段とを備えた本体と、この本体内に前記フィルタの洗浄時期であることの報知、または前記フィルタの洗浄中は洗浄状況を音声でガイダンスする音声報知手段とを設けたことを特徴とするレンジフードであって、音声報知手段は、フィルタの洗浄時期であることの報知、または前記フィルタの洗浄中は洗浄状況を音声でガイダンスする各音声メッセージを報知する作用を有する。
【００５９】
以下、本発明の実施の形態について図面を参照しながら説明する。
【００６０】
（実施の形態１）
図１および図２に示すように、レンジフードの本体１は、室内の空気を吸込む吸込口２と、屋外に連通した吐出口３と、吸込口２と吐出口３を結ぶ通風路内に空気を吸込み排気する排気ファン４と、排気ファン４を駆動するモータ５と、吸込口２と排気ファン４との間に円形のフィルタ６とを設け、レンジフードの本体１内に、フィルタ６を自動で洗浄するフィルタ洗浄装置７と、フィルタ６の洗浄時期であることを音声で報知する例えばスピーカーからなる音声報知手段８と、音声メッセージがあることを表示するメッセージ表示手段９と、音声メッセージを再生する音声スイッチ１０とを備え、レンジフードの本体１の前面に人の存在を検出する例えば人体の発する熱線を検出する赤外線センサからなる人検出手段１１を設けている。メッセージ表示手段９は音声メッセージがあることを表示できればよく、例えば発光ダイオード（以下、ＬＥＤ９ａ）などがある。
【００６１】
フィルタ洗浄装置７としては、水平方向を回転軸としフィルタ６を回転駆動するフィルタモータ１２と、フィルタ６の一部を収納する水槽１３と、水槽１３に設けフィルタ６に水を噴射する噴射手段としての噴射ノズル１４と、例えば、市水、ぬるま湯（例えば、４０℃程度）などの水を貯水する水タンク１５と、水タンク１５で給水される貯水槽１６と、貯水槽１６内の水を汲み上げるポンプ１７と、切替弁１８と、排水手段としての排水弁１９および排水トレイ２０を備え、給水手段としてのポンプ１７と貯水槽１６を備えて構成する。
【００６２】
モータ５により排気ファン４が駆動されると、室内の空気は図示Ａのように吸込口２から吸込まれ、フィルタ６を介して吐出口３から屋外に排出されるが、この際に油煙や塵埃がフィルタ６に補足され、屋外には浄化された空気が排出される。
【００６３】
制御装置２１は、その内部にマイコンなどのＣＰＵと各種のインタフェース（図示せず）を備えており、ＣＰＵがそれぞれのインタフェースを介してモータ５、音声報知手段８、メッセージ表示手段としてのＬＥＤ９ａ、フィルタモータ１２、ポンプ１７、切替弁１８、排水弁１９を制御すると共に、排気ファン４による排気量および通電時間を積算し、排気量または通電時間の積算値が所定値（例えば３０日相当）に達すると、フィルタ６の洗浄時期であると判断する。
【００６４】
人検出手段１１により人の存在が検出されると、制御装置２１はフィルタ６の洗浄時期であればＬＥＤ９ａを点灯させ、音声メッセージがあることを表示する。フィルタ６の洗浄時期でなければＬＥＤ９ａの消灯を継続し、何も表示しない。
【００６５】
フィルタ６の洗浄時期に達しているとき、使用者が音声スイッチ１０を操作すると、制御装置２１は音声報知手段８を動作させ、音声報知手段８は例えば「フィルタの洗浄時期です。」と音声で使用者に報知する。
【００６６】
使用者が洗浄スイッチ２２を操作すると、制御装置２１はフィルタ洗浄装置７を動作させフィルタ６の洗浄を開始すると共に音声報知手段８を動作させ、音声報知手段８は洗浄状況を音声でガイダンスする。
【００６７】
ここで図３のフローチャートを用いてフィルタ６の洗浄動作および音声報知手段８による洗浄状況の音声ガイダンスについて説明する。
【００６８】
まず、使用者は、例えば、固着した油が軟化、あるいは剥離し易い程度の温度で使用者が扱易い温度程度のぬるま湯（例えば、４０℃程度）を充填した水タンク１５を貯水槽１６に装着して洗浄スイッチ２２を押すと、音声報知手段８により「フィルタの洗浄を開始します。」と音声ガイダンスを行った後、Ｓ（ステップ）１０１において、排水弁１９を閉じて、ポンプ１７を駆動し、切替弁１８を給水側にして水槽１３に給水して水槽１３内に水、例えば、ぬるま湯を蓄える。この場合、水槽１３に適量の水、例えば、ぬるま湯を蓄える方法としては、所定時間（例えば、７秒）ポンプ１７を運転してもよく、図示しないが水槽１３に水位センサを設けて水位センサが適正水位を検知するまでポンプ１７を運転するようにしても良い。
【００６９】
水槽１３の貯水が終了するとＳ１０２でフィルタモータ１２を水槽１３内の水が槽外に飛散しない程度の低速回転（例えば毎分３０回転程度）で回転させフィルタ６に付着した油を水槽１３内の水に離脱させる。なお、フィルタ６を低速で回転させるのは、高速で回転させた場合に水槽１３内の水が離脱した油とともに槽外に飛散するのを防止するためである。
【００７０】
以上の洗浄動作は所定時間、例えば５分間継続し（Ｓ１０３）、この間、音声報知手段８により所定時間（例えば１０秒）毎に「浸け置き洗浄中です。」と音声ガイダンスを行う。
【００７１】
次に所定時間が経過すると、音声報知手段８により「排水します。」と音声ガイダンスを行い、Ｓ１０４で排水弁１９を開にして水槽１３内の水を離脱した油と共に排水して排水トレイ２０に滞留させる。
【００７２】
次にＳ１０５で排水の終了を待って、次のＳ１０６でフィルタ６を付着した油や水などがフィルタ６から飛散、脱離する程度の高速回転（例えば、毎分１４００回転程度）で、回転させる。このフィルタ６の高速回転はＳ１０７の所定時間（例えば１０秒間）継続されるが、この間にフィルタ６に残留している油と水の一部は遠心力で飛散させて水槽１３内に回収され、排水弁１９を経て排水トレイ２０に滞留される。
【００７３】
次にＳ１０８でフィルタ６の高速回転を継続させたまま、ポンプ１７を駆動し、切替弁１８を噴射ノズル１４側にして噴射ノズル１４から水をフィルタ６に対して水平方向に噴射する。この水の噴射は所定時間（例えば２秒間）継続し（Ｓ１０９）、次にＳ１１０で水の噴射を停止させ、Ｓ１１１で所定時間待機（例えば５秒間）した後、再びＳ１０８〜Ｓ１１１の間欠ノズル水噴射の動作をＳ１１２で所定回数回（複数回、例えば３回）行う。
【００７４】
所定回数（例えば、３回）の間欠ノズル水噴射が終了すると、Ｓ１１３で再び水の噴射を行うが、この場合は連続で水の噴射を行い、Ｓ１１４で貯水槽１６の残水がゼロになるまで継続する。
【００７５】
残水をゼロにする方法としては水の噴射を所定時間（例えば、５秒）行ってもよく、貯水槽１６に水位センサを設けて（図示ない）水位センサが残水ゼロを検知するまで水の噴射を行うようにしてもよい。
【００７６】
Ｓ１０６〜Ｓ１１４までの洗浄動作の間、音声報知手段８により所定時間（例えば１０秒）毎に「水噴射洗浄中です。」と音声ガイダンスを行う。
【００７７】
次にＳ１１５ではフィルタ６の高速回転を所定時間（例えば３分）継続し、これによりフィルタ６に残留している水分の乾燥を行う。この間、音声報知手段８により所定時間（例えば１０秒）毎に「乾燥中です。」と音声ガイダンスを行う。
【００７８】
所定時間（例えば３分）後、Ｓ１１６で、フィルタ６の回転を停止させて自動洗浄の運転動作を終了し、音声報知手段８により「フィルタの洗浄が終了しました。」と音声ガイダンスを行う。
【００７９】
以後は、使用者が排水トレイ２０に滞留した油や水を廃棄してフィルタ６の洗浄作業を終了する。
【００８０】
上記構成により、フィルタ６の洗浄時期に達するとメッセージ表示手段９は音声メッセージがあることを表示し、それを見た使用者が音声スイッチ１０を操作することで、音声報知手段８が報知する音声でフィルタ６の洗浄時期であることを知ることとなる。
【００８１】
このように本発明では、使用者にフィルタ６の洗浄時期であることを具体的なメッセ時を用いて確実に報知をすることができ、かつ深夜の就寝中などの時間帯には、報知することはなくわずらわしさを解消できることとなる。
【００８２】
また、メッセージ表示手段９は、フィルタ６の洗浄時期に達するまでは、表示はしない、すなわちフィルタ６の洗浄時期に達したときにのみ音声メッセージがあることを表示する。
【００８３】
このように本発明では、フィルタ６の洗浄時期に達したときに適切に音声メッセージの有ことを表示することとなり、必要なときのみ表示を行い、省エネルギーが図れることとなる。
【００８４】
また、メッセージ表示手段９は、人検出手段１１が人を検出したときに表示を行う。
【００８５】
このように本発明では、使用者がいるときにのみメッセージ表示手段９により表示を行い、人がいないときには表示すること無く、省エネルギーが図れることとなる。
【００８６】
また、メッセージ表示手段９は、人検出手段１１が人を検出し、かつ音声メッセージがあるときに表示をする。
【００８７】
このように本発明では、音声メッセージがありかつ人がいるとき、すなわち必要なときのみ表示することができ省エネルギーが図れ、かつわずらわしさを解消できることとなる。
【００８８】
また、音声報知手段８は、フィルタ６の洗浄時期であることを報知し、フィルタ６の洗浄中は洗浄状況を音声でガイダンスする。
【００８９】
このように本発明では、フィルタ６の洗浄時期であることの他にフィルタ６の洗浄状況を認識でき、フィルタ６が確実に洗浄されているか否かを容易に確認することができることとなる。
【００９０】
（実施の形態２）
図４および図５に示すように、排気ファンの運転操作をする操作スイッチ２３と、レンジフードの本体１の下方に配設される調理機器（図示せず）の運転または停止の操作と連動して排気ファンの換気運転状態を制御装置２１ａを介して変更する連動運転手段２４とを設ける。
【００９１】
操作スイッチ２３としては、換気運転の開始および換気運転中の風量変更を行う運転スイッチ２３ａと、換気運転を停止する切スイッチ２３ｂと、排気ファンの風量を低風量で換気する常時換気運転を設定する常時換気スイッチ２３ｃと、換気運転を自動で停止または換気風量を自動で切り替える運転タイマを設定するタイマスイッチ２３ｄとを備えて構成する。
【００９２】
その他の構成は、実施の形態１における音声スイッチ１０、人検出手段１１、メッセージ表示手段９を除き同様であるため説明を省略する。
【００９３】
換気運転が停止しているとき、運転スイッチ２３ａが操作されると制御装置２１ａはモータ５を高速で駆動し、換気運転が開始され、この換気運転中に再度、運転スイッチ２３ａが操作されると制御装置２１ａはモータ５の駆動速度を変えて換気風量を変更する。
【００９４】
換気運転中に切スイッチ２３ｂが操作されると、制御装置２１ａはモータ５の駆動を停止させ、換気運転を停止する。
【００９５】
換気運転の停止中に常時換気スイッチ２３ｃが操作されると、制御装置２１ａはモータ５を低速で駆動し、常時換気運転が開始され、この常時換気運転中に運転スイッチ２３ａが操作されると、制御装置２１ａはモータ５を高速で駆動し、より風量の多い局所換気運転が開始される。その後、切スイッチ２３ｂが操作されると、制御装置２１ａはモータ５を低速で駆動させ、常時換気運転に変更する。
【００９６】
このように、操作スイッチ２３のいずれかのスイッチを操作することにより換気運転の状態を変更すると、制御装置２１ａは音声報知手段８を動作させ、音声報知手段８は例えば「フィルタの洗浄時期です。」と音声で使用者に報知する。
【００９７】
次に、運転タイマの設定および換気運転が自動で停止または換気風量を自動で切り替える動作について説明する。
【００９８】
換気運転の停止中に運転スイッチ２３ａを操作して換気運転を開始し、この換気運転中にタイマスイッチ２３ｄが操作されると、制御装置２１ａは所定時間（例えば３分程度）の運転タイマを動作さる。このとき、フィルタ６の洗浄時期に達した状態であれば、制御装置２１ａは音声報知手段８を動作させ、音声報知手段８は例えば「フィルタの洗浄時期です。」と音声で使用者に報知する。その後、運転タイマがタイムアップすると、制御装置２１ａは音声報知手段８を動作させずに、すなわち音声報知手段８は、フィルタ６の洗浄時期であることの報知をせずに換気運転が停止される。
【００９９】
また、常時換気運転中に運転スイッチ２３ａを操作して局所換気運転に変更され、この局所換気運転中にタイマスイッチ２３ｄが操作されると、制御装置２１ａは所定時間（例えば３分程度）の運転タイマを動作さる。このとき、フィルタ６の洗浄時期に達した状態であれば、制御装置２１ａは音声報知手段８を動作させ、音声報知手段８は例えば「フィルタの洗浄時期です。」と音声で使用者に報知する。その後、運転タイマがタイムアップすると、制御装置２１ａは音声報知手段８を動作させずに常時換気運転に変更する。
【０１００】
次に、連動運転手段２４により換気運転の状態を変更する運転操作がされた場合の動作について説明する。
【０１０１】
換気運転の停止中または常時換気運転中に連動運転手段２４により調理機器の運転が検出されると、換気運転が開始される。また、換気運転中に連動運転手段２４により調理機器の停止が検出されると、換気運転を開始する前の状態が停止中であった場合は停止し、常時換気運転中であった場合は常時換気運転となる。このようにして連動運転手段２４により換気運転の状態が変更されたとき、フィルタ６の洗浄時期に達した状態であれば、制御装置２１ａは所定時間（例えば調理機器が発する報知が終了する３秒程度）経過後、音声報知手段８を動作させ、音声報知手段８は例えば「フィルタの洗浄時期です。」と音声で使用者に報知する。
【０１０２】
次に、換気運転中にフィルタ６の洗浄時期に達したときの動作について説明する。
【０１０３】
運転スイッチ２３ａを操作して換気運転が開始され、この換気運転中にフィルタ６の洗浄時期に達すると、制御装置２１ａはモータ５の駆動速度を低くして換気風量を低くし、運転騒音が小さくなるようにする。その後、制御装置２１ａは音声報知手段８を動作させ、音声報知手段８は例えば「フィルタの洗浄時期です。」と音声で使用者に報知する。
【０１０４】
上記のようにフィルタ６の洗浄時期であることを報知した後、使用者がフィルタ６を洗浄せずに報知条件、すなわち操作スイッチ２３を操作して換気運転の状態を変更したり、タイマスイッチ２３ｄを操作したり、連動運転手段２４により換気運転の状態の変更がされたりしても所定時間（例えば２４時間程度）は、制御装置２１ａは音声報知手段８を動作させずに、すなわち音声報知手段８は、フィルタ６の洗浄時期であることの報知をしない。所定時間経過後、使用者がフィルタ６を洗浄せずに報知条件になると制御装置２１ａは音声報知手段８を動作させてフィルタ６の洗浄時期であることの報知をする。これをフィルタ６が洗浄されるまで繰り返す。
【０１０５】
上記構成により、運転操作をしたときに音声報知手段８はフィルタ６の洗浄時期であることを音声で報知する。
【０１０６】
このように本発明では、運転操作をしたときに音声報知手段８がフィルタ６の洗浄時期であることを報知することで確実に使用者がフィルタ６の洗浄時期であることを知ることができ、かつ深夜の就寝中などの時間帯に報知することなくわずらわしさを解消できることとなる。
【０１０７】
また、排気ファンによる換気運転の開始、停止および排気ファンの風量変更の運転操作をしたときに音声報知手段８はフィルタ６の洗浄時期であることを音声で報知する。
【０１０８】
このように本発明では、換気運転の開始や停止または風量変更の操作がされたときに音声報知手段８がフィルタ６の洗浄時期であることを報知することで確実に使用者がフィルタ６の洗浄時期であることを知ることができ、かつ深夜の就寝中などの時間帯に報知することなくわずらわしさを解消できることとなる。
【０１０９】
また、常時換気運転から局所換気運転または局所換気運転から常時換気運転の少なくともいずれかへ風量変更の操作を行ったときに音声報知手段８はフィルタ６の洗浄時期を報知する。
【０１１０】
このように本発明では、常時換気運転から局所換気運転または局所換気運転から常時換気運転の少なくともいずれかへ風量変更の操作を行ったときに音声報知手段８はフィルタ６の洗浄時期を報知することで確実に使用者がフィルタ６の洗浄時期であることを知ることができることとなる。
【０１１１】
また、換気運転を自動で停止する運転操作をしたときには、フィルタ６の洗浄時期に達した状態であれば音声報知手段８はフィルタ６の洗浄時期であることを報知する。
【０１１２】
このように本発明では、換気運転を自動で停止する運転操作をしたときにフィルタ６の洗浄時期であることの報知をすることで、使用者は的確にフィルタ６の洗浄時期であることを認識することができることとなる。
【０１１３】
また、音声報知手段８は、換気運転が自動で停止したときには、フィルタ６の洗浄時期であることを報知しない。
【０１１４】
このように本発明では、使用者がいないことが多い場合の無駄な報知を防ぐことができることとなる。
【０１１５】
また、換気運転の状態を所定時間後に変更する運転操作をしたときには、フィルタ６の洗浄時期に達した状態であれば、音声報知手段８はフィルタ６の洗浄時期であることを音声で報知する。
【０１１６】
このように本発明では、換気運転の状態を所定時間後に変更する運転操作をしたときにフィルタ６の洗浄時期であることの報知をすることで、使用者は的確にフィルタ６の洗浄時期であることを認識することができることとなる。
【０１１７】
また、換気運転の状態が所定時間後に自動で切り替えられたときには、フィルタ６の洗浄時期に達していても音声報知手段８はフィルタ６の洗浄時期であることを報知しない。
【０１１８】
このように本発明では、使用者がいないことが多い場合の無駄な報知を防ぐことができることとなる。
【０１１９】
また、フィルタ６の洗浄時期に達した状態で連動運転手段２４により換気運転の状態を変更する運転操作がされた場合に、音声報知手段８がフィルタ６の洗浄時期であることを報知するときには、所定時間遅延させて報知する。
【０１２０】
このように本発明では、調理機器が発す音声などの報知と重なり音声報知が聞き取り難くなることを防ぐことが想定されるので所定時間後にフィルタ６の洗浄時期であることを報知することで確実に使用者に報知することができることとなる。
【０１２１】
また、音声報知手段８はフィルタ６の洗浄時期であることを報知した後、所定時間はフィルタ６の洗浄時期であることを報知しない。
【０１２２】
このように本発明では、音声報知を頻繁にすることなく的確に使用者はフィルタ６の洗浄時期であることを報知して使用者に認識させることができると共に、すぐにフィルタ６を洗浄できない場合に繰り返し音声報知をされてわずらわしく感じることを防ぐことができることとなる。
【０１２３】
また、換気運転中にフィルタ６の洗浄時期に達したときには、換気運転の風量を低くしたのち音声報知手段８はフィルタ６の洗浄時期であることを音声で報知する。
【０１２４】
このように本発明では、換気運転の風量を低くすることで運転騒音が小さくなり、音声報知を聞き取りやすくなることとなる。
【０１２５】
（実施の形態３）
図６に示すように、室内の明るさを検出する例えばフォトダイオードで構成される光センサからなる照度検出手段２５を設ける。
【０１２６】
その他の構成は、実施の形態１における音声スイッチ１０、メッセージ表示手段９を除き同様であるため説明を省略する。
【０１２７】
フィルタ６の洗浄時期に達した状態で、人検出手段１１により人の存在が検出されると、制御装置２１ｂは、照度検出手段２５により検出される室内の明るさが例えば昼間や夜間で室内の照明が点灯している状態など人が活動するのに十分な照度であれば音声報知手段８を動作させ、音声報知手段８は例えば「フィルタの洗浄時期です。」と音声で使用者に報知する。
【０１２８】
ここで、図７のフローチャートを用いて音声報知手段８によりフィルタ６の洗浄時期であることを音声で報知する動作について説明する。
【０１２９】
まず、Ｓ１１７でフィルタ６の洗浄時期であるか否かが判断され、フィルタ６の洗浄時期であればＳ１１８へ移行する。
【０１３０】
フィルタ６の洗浄時期でなければそのまま終了する。
【０１３１】
Ｓ１１８で人検出手段１１が人の存在を検出したか否かが判断され、人を検出したならばＳ１１９に移行する。
【０１３２】
人の存在が検出されなければそのまま終了する。
【０１３３】
Ｓ１１９で照度検出手段２５が検出した室内の明るさが人が活動するのに十分な照度であるか否かが判断され、人が活動するのに十分な照度であると判断されるとＳ１２０に移行し、Ｓ１２０で制御装置２１ｂは音声報知手段８を動作させ、音声報知手段８は「フィルタの洗浄時期です。」と音声で使用者に報知する。
【０１３４】
室内の明るさが人が活動するのに十分な照度でないと判断されるとそのまま終了する。
【０１３５】
上記構成により、音声報知手段８は、フィルタ６の洗浄時期に達した状態で、かつ人検出手段１１が人を検出したときに、フィルタ６の洗浄時期であることを音声で報知する。
【０１３６】
このように本発明では、確実に使用者がいる場合にフィルタ６の洗浄時期であることの報知をすることができ、使用者は的確にかつ容易にフィルタ６の洗浄時期であることを認識することができることとなる。
【０１３７】
また、音声報知手段８は、照度検出手段２５が人の活動に十分な照度を検出し、かつ人検出手段１１が人を検出したときにフィルタ６の洗浄時期に達した状態であれば、フィルタ６の洗浄時期であることを音声で報知する。
【０１３８】
このように本発明では、人の活動に十分な照度で、かつ人を検出したときにフィルタ６の洗浄時期であることを音声で報知することで、人の活動が不十分な照度の状態で音声報知して使用者を驚かせることを防ぐと共に、このような状態での無駄な音声報知を防ぐことができることとなる。
【産業上の利用可能性】
【０１３９】
本発明のレンジフードは、使用者が的確にかつ容易にフィルタの洗浄時期であることを認識できるので、フィルタの洗浄時期であることを音声で報知する家庭用以外の例えば業務用レンジフードや、工場などの油煙除去装置などのについても有用である。
【図面の簡単な説明】
【０１４０】
【図１】本発明の実施の形態１のレンジフードの構成を示す図（（ａ）同断面の正面図、（ｂ）同断面の側面図）
【図２】同レンジフードの構成を示すブロック図
【図３】同レンジフードのフィルタ洗浄動作および洗浄状況の音声ガイダンスを説明するためのフローチャート
【図４】本発明の実施の形態２のレンジフードの構成を示すブロック図
【図５】同レンジフードの操作スイッチの構成を示す図
【図６】本発明の実施の形態３のレンジフードの構成を示すブロック図
【図７】同レンジフードのフィルタの洗浄時期であることを報知する動作を説明するためのフローチャート
【符号の説明】
【０１４１】
１    本体
２    吸込口
３    吐出口
４    排気ファン
５    モータ
６    フィルタ
７    フィルタ洗浄装置
８    音声報知手段
９    メッセージ表示手段
１０  音声スイッチ
１１  人検出手段
１２  フィルタモータ
１３  水槽
１４  噴射ノズル
１６  貯水槽
１７  ポンプ
１９  排水弁
２４  連動運転手段
２５  照度検出手段
【図１】
2010223528.tif 000003
【図２】
2010223528.tif 000004
【図３】
2010223528.tif 000005
【図４】
2010223528.tif 000006
【図５】
2010223528.tif 000007
【図６】
2010223528.tif 000008
【図７】
2010223528.tif 000009